(57)【要約】【課題】  換気扇の枠体とシャッター板との隙間により室外側からの光漏れ等がないようにするとともにシャッター板の動作が良い換気扇を得る。【解決手段】  換気扇の枠体の室外側に複数の横長に形成したシャッター板を配置する、また枠体の室外側の内側には縦方向に相対するシャッター支持板を備え、複数のシャッター板を支持する、シャッター支持板には、シャッター板が閉じた場合にシャッター板の両側面と重なる遮蔽壁を設けシャッター板と枠体との隙間をなくすように構成している。【選択図】  図６
2014020604.tif 000002
【特許請求の範囲】
【請求項１】
室内側と室外側を開口した方形状の枠体と、
前記枠体の室外側の内側部に縦方向に備えたシャッター支持板と、
前記シャッター支持板に支持軸を介して回動自在に支持し、常に閉鎖勝手に作用を受ける横長に形成した複数のシャッター板と、
前記複数のシャッター板を連結し開閉する開閉手段と、
前記シャッター板が閉じているときに、前記シャッター支持板に前記シャッター板の両側面と重なる遮蔽壁を設けたことを特徴とする換気扇。
【請求項２】
前記シャッター板は上下方向のほぼ中央部が室内側に屈曲した屈曲部を設け、前記遮蔽壁に前記シャッター板の屈曲部に相対した屈曲部を形成したことを特徴とする請求項１記載の換気扇。
【請求項３】
前記シャッター板が閉じている場合に、前記シャッター板の室外側が前記枠体内にほぼ納まる形状で構成したことを特徴とする請求項１、２いずれか記載の換気扇。
【請求項４】
前記シャッター板が閉じている時、前記遮蔽壁と前記シャッター板との間に微小の空間を得る凸部を前記遮蔽壁に形成したことを特徴とする請求項１〜３いずれか記載の換気扇。
【請求項５】
前記シャッター支持板を樹脂製とし、前記遮蔽壁と一体で形成したことを特徴とする請求項１〜４いずれか記載の換気扇。
【請求項６】
前記シャッター支持板より前記遮蔽壁の先端までの高さをほぼ１０mm以内で形成したことを特徴とする請求項１〜５いずれか記載の換気扇。
【発明の詳細な説明】
【技術分野】
【０００１】
本発明は、シャッターが搭載された換気扇に関するものである。
【背景技術】
【０００２】
従来のこの種の換気扇のシャッターは、箱状枠体の室外側の開口端に複数の横長のシャッター板を上下に備えたものがある。このシャッターの構成は、枠体の開口端の両側内面に長尺状のシャッター支持板を備え、各シャッター板の両端をこのシャッター支持部に開閉自在に固定している。また、各シャッター板を連結するシャッター連結板を設け、各シャッター板の開閉動作を同時に行っている。シャッター連結板はＬ字状で形成し、Ｌ字状の垂直の部分で各シャッター板を連結し、水平に突出した部分にロッドと呼ばれるリング状の部品を設けている。換気扇には引き紐のスイッチを備え、この引き紐の動作に合わせ可動する可動レバーを設け、前述のロッドは、この可動レバーと連結している。このようにすることで、スイッチの引き紐を引くと可動レバーが下降し、シャッター連結板も前斜め下に下降する、また、それに伴って各シャッター板が開く。各シャッター板の閉じる動作はスイッチがＯＦＦした場合、可動レバーが元の状態に復帰するとともにシャッター連結板にバネを備えており、シャッター連結板を元の状態に引っ張り上げる。その際各シャッター板は自重で閉じている。
このような換気扇において、外気流入や、光の侵入を防止するために、各シャッター板同士または、各シャッター板と換気扇枠体とに重なり部を設けているものが知られている。（例えば、特許文献１参照）。
【先行技術文献】
【特許文献】
【０００３】
【特許文献１】特開２０１０-１３９１３５
【発明の開示】
【発明が解決しようとする課題】
【０００４】
上記従来の換気扇は、設置場所として住宅の台所に使用される場合が多く、油煙や埃付着により各シャッター板の動作が悪くならないように、各シャッター板と枠体との間に若干の隙間を設けた構造となっている。しかし、使用者からは、若干の隙間部分より入ってくる光が気になるとの不具合があり、室外側からの光漏れ低減が課題となっていた。光漏れ低減をしている換気扇として、シャッターと枠体とに重なり部を設けたものが知られている。実際、枠体は板金の薄板で形成されているものが多く、枠体と各シャッター板との重なり部は非常に狭い。場合によっては、各シャッター板が枠体からはみ出てしまうことが容易に想定される。さらに、換気扇は、木枠などを用いて住宅の壁の角穴に取り付けられる場合が多い。枠体からシャッター板がはみ出てしまうと、シャッター板と角穴内側面が干渉し、シャッターが開かない、閉じないといったシャッター動作不良が発生するという課題があった。
また、場合によって、光が入ってくるといった不具合に対応するために、シャッター板と枠体との隙間を低減するための別部品を、枠体隙間部分に取り付ける場合も在り、部品点数の増加や組立性の悪化が課題となっていた。
【０００５】
本発明は、上記に鑑みてなされたものであって、シャッター板の動作に影響しないように、シャッター板と枠体との光漏れを低減することを目的としたものである。
【課題を解決するための手段】
【０００６】
上述した課題を解決し、目的を達成するために、本発明は、室内側と室外側を開口した方形状の枠体と、前記枠体の室外側の内側部に縦方向に設けられるシャッター支持板と、このシャッター支持板に支持軸を介して回動自在に支持され、常に閉鎖勝手に作用を受ける複数のシャッター板と、このシャッター板が閉じているときに、シャッター支持板に遮蔽壁を設け、この遮蔽壁がシャッター板の両側面と重なるよう形成したものである。
【発明の効果】
【０００７】
この発明によれば、シャッターを取り付けるための、シャッター支持板に、シャッター板と重なる遮蔽壁を設けることで、室外側からの光漏れがない換気扇が得られる。また、住宅の角穴に設置される場合でも、シャッター板が枠体からはみ出すことが無く、シャッター板の動作不良のない換気扇が得られる。さらには、光漏れを無くすための別部品等も必要がなく、部品を削減することができる。
【図面の簡単な説明】
【０００８】
【図１】本発明の実施の形態１における換気扇１の分解斜視図である。
【図２】本発明の実施の形態１における図１の領域Ａで囲まれた部分の換気扇１の拡大図である。
【図３】本発明の実施の形態１におけるシャッター部５５の分解斜視図である。
【図４】本発明の実施の形態１における図１の領域Ｂで囲まれた部分の換気扇１の拡大図である。
【図５】本発明の実施の形態１における換気扇の断面図である。
【図６】本発明の実施の形態１におけるシャッター支持板の斜視図である。
【発明を実施するための形態】
【０００９】
以下、本発明の実施の形態について、図面を用いて詳細に説明する。
【００１０】
実施の形態１．
図１は、本発明の実施の形態１における換気扇１の分解斜視図である。図２は、本発明の実施の形態１における図１の領域Ａで囲まれた部分の換気扇１の拡大図である。図３は、本発明の実施の形態１におけるシャッター部５５の分解斜視図である。図４は、本発明の実施の形態１における図１の領域Ｂで囲まれた部分の換気扇１の拡大図である。
【００１１】
図１に示すように、換気扇１は、枠体１０と、枠体１０に設けられた固定足６０ａ及び固定足６０ｂと、固定足６０ａ及び固定足６０ｂに支持された電動機７０とを備える。
換気扇１は、枠体１０にオリフィス１７０が設けられ、電動機７０にファン９０が取り付けられ、ファン９０の中央部にスピンナー１００が取り付けられる。
オリフィス１７０は、合成樹脂等で形成され、風洞を形成するものであり、枠体１０に対して、着脱自在となっている。
なお、オリフィス１７０には、例えば、フィルター、メッシュガード、及び油受け等が取り付けられるものであるが、図１においてはその図示を省略する。
また、換気扇１は、図示しない壁等に形成された壁穴等に据え付けられ、ファン９０を回転駆動させることにより、室内側の空気と、室外側の空気との間の空気の流れを形成し、室内を換気するものである。
なお、固定足６０ａ及び固定足６０ｂを総称するときには、固定足６０と称する。
【００１２】
枠体１０は、換気扇１全体を支持する強度を有する略矩形状の金属鋼板の短手方向の端部が互いに接続された金属枠から形成されたものである。枠体１０は、例えば、形状が略矩形状で形成され、室内側と室外側とがそれぞれ開口したものである。
なお、上記の説明においては、枠体１０が略矩形状の金属鋼板で接続された金属枠で形成された一例について説明したが、特にこれに限定するものではない。例えば、形状は円形状であってもよく、材質は合成樹脂等で形成されているものであってもよい。
【００１３】
枠体１０の上側縁部には上フランジ部２０が設けられ、枠体１０の左側縁部には左フランジ部３０が設けられ、枠体１０の右側縁部には右フランジ部４０が設けられ、枠体１０の下側縁部には下フランジ部５０が設けられている。上フランジ部２０、左フランジ部３０、右フランジ部４０、及び下フランジ部５０は、金属鋼板が断面Ｌ字状に折曲形成され、枠体１０の各縁部に取り付けられたものである。
なお、上フランジ部２０、左フランジ部３０、右フランジ部４０、及び下フランジ部５０には、各種取付金具等を取り付ける孔が形成されている。
【００１４】
電動機７０は、例えば、ＤＣブラシレスモータで構成され、インバータ制御でＤＣブラシレスモータを回転させてＤＣブラシレスモータに設けられた回転軸８０を回転させることにより、回転軸８０に取り付けられたファン９０を回転駆動させるものである。電動機７０は、電動機フランジ部７１〜７４を備える。電動機フランジ部７１〜７４は電動機７０の固定の際に利用される。
ファン９０は、回転軸８０に対して着脱自在に形成され、換気扇１が設置された状態において、枠体１０の室内側の空気と、枠体１０の室外側の空気とを換気する。
【００１５】
枠体１０の室外側には、枠体室外側開口部１１０が形成されており、枠体室外側開口部１１０には、金属鋼板から形成された複数のシャッター板１２０が設けられている。
複数のシャッター板１２０は、詳細については後述するが、シャッター連結板１３０を介してスイッチ部１４０と連動するように設けられている。
【００１６】
スイッチ部１４０は、例えば、枠体１０の前面左下隅部に設けられたものであり、電動機７０から導出されるリード線１５２と接続され、先端にプラグ１５４を有する電源ケーブル１５０と、引紐１６０とを備えている。
スイッチ部１４０は、引紐１６０が引っ張られるのに応じて、電源ケーブル１５０と、リード線１５２との間の物理的接続状態を、導通状態と非導通状態である断電状態とに交互に切り替えることにより、図示しないコンセントに差し込まれたプラグ１５４から供給される電力の供給をするか否かを制御する。
スイッチ部１４０は、導通状態のとき、シャッター連結板１３０を介して複数のシャッター板１２０が開放状態となるように制御し、断電状態のとき、シャッター連結板１３０を介して複数のシャッター板１２０が閉鎖状態となるように制御する。つまり、引紐１６０が引っ張られるのに応じて、複数のシャッター板１２０は、開放状態と閉鎖状態とが交互に切り替わるように構成されている。
なお、上記の説明では、シャッター板１２０が金属鋼板から形成される一例について説明したが、特にこれに限定するものではない。例えば、材質は合成樹脂等で形成されるものであってもよい。
【００１７】
図２に示すように、枠体１０の上面を形成する枠体上面部１０ａには、取付ピース１９０及びうちわボルト１８０が設けられる。取付ピース１９０はねじ切りされた孔を備え、うちわボルト１８０は、取付ピース１９０のねじ切りされた孔に螺合された状態で取付ピース１９０に設けられている。
うちわボルト１８０は、換気扇１が据え付けられるときに利用される部材である。例えば、取付作業者がうちわボルトを図示しない壁穴の面に締め付けることにより、換気扇１は図示しない壁穴等に据え付けられる。
【００１８】
図３に示すように、シャッター部５５は、シャッター板１２０、支持ピン１２０ｄ、シャッター連結板１３０、及びシャッター支持板２００を備え、詳細については後述するが、一方のシャッター支持板２００がシャッター板１２０の短手方向の一方の縁を支持し、もう一方のシャッター支持板２００が、シャッター連結板１３０を挟みこんだ状態でシャッター板１２０の短手方向のもう一方の縁を支持する。
シャッター板１２０の短手方向の縁には、側壁１２０ｂが形成されている。側壁１２０ｂの隅部には、シャッター孔１２０ａが設けられている。シャッター孔１２０ａは、側壁１２０ｂに対して起立状態に形成された孔であり、後述する突起部２００ａを収納する奥行きが形成されている。
なお、シャッター板１２０の短手方向のもう一方の端部についても上記で説明した構成と同様の構成となっている。
【００１９】
突起部２００ａは、シャッター支持板２００に形成されており、シャッター板１２０の短手方向の一方の縁に対しては、シャッター孔１２０ａに収納される。
突起部２００ａは、シャッター板１２０の短手方向のもう一方の縁に対しては、支持ピン１２０ｄをシャッター連結板支持孔１３０ａに挿通したシャッター連結板１３０を介して、シャッター孔１２０ａに収納される。
支持ピン１２０ｄは、止めピン挿通孔１２０ｃを備えている。支持ピン１２０ｄは、シャッター連結板１３０に形成されたシャッター連結板支持孔１３０ａに挿通された後、ブッシュ２１０に形成された止めピン２１０ａを止めピン挿通孔１２０ｃに挿通させることにより、シャッター連結板１３０が支持ピン１２０ｄに対して回動可能に設けられる。
【００２０】
図４に示すように、枠体１０には、スプリング２３０が設けられている。スプリング２３０は、一方の端部が枠体１０に設けられたものであり、もう一方の端部はシャッター連結板１３０に形成されたスプリング支持孔１３０ｃに対して一定のクリアランスが保たれた状態で設けられる。シャッター連結板１３０は、ロッド２２０を介して、可動レバー１４２と連動するように設けられている。ロッド２２０は、略長孔形状に形成された金属製のリングであり、シャッター連結板１３０に形成されたロッド支持孔１３０ｂに通されていると共に、可動レバー１４２の一方の端部に形成された図示しない孔にも通されている。可動レバー１４２のもう一方の端部は、スイッチ部１４０に収納され、引紐１６０の動作と連動するように設けられている。
【００２１】
つまり、引紐１６０が下方に引っ張られたとき、可動レバー１４２は下方に引き下げられる構成となっている。可動レバー１４２が下方に引き下げられると、その動作に連動してシャッター連結板１３０が引っ張られ、シャッター板１２０が開放状態となる。また、引紐１６０がもう一度下方に引っ張られたとき、可動レバー１４２は下方に引き下げられ、シャッター連結板１３０が引っ張られ、シャッター板１２０は閉鎖状態となる。
【００２２】
図５は、本発明にかかる換気扇の断面図であり、シャッター板が閉じている状態示す、また図６は、シャッター支持板部を示す斜視図である。
【００２３】
図５に示すように、シャッター板１２０は最上段の上シャッター板１２１、中段の中シャッター板１２２、最下段の下シャッター板１２３の３枚で３段に構成している。この３枚のシャッター板を総称してシャッター板１２０と称する。３枚のシャッター板１２０は、上シャッター板１２１の下部１２１ｃが中シャッター板１２２の上部１２２ａを覆っている。また同様に、中シャッター板１２２の下部１２２ｃは、下シャッター板１２３の上部１２３ａを覆っている。このようにすることで、各シャッター板１２０の上下の隙間はそれぞれ覆われる構造となっており、各シャッター板の上下に生じる隙間は無く室外側からの光漏れ、外風の侵入を防いでいる。なお、各シャッター板１２０は同様の形状で形成している。
【００２４】
シャッター板１２０は中央部が室内側に屈曲した形状としている。例えば中シャッター板１２２の中央部１２２ｂは中シャッター板上部１２２ａ、中シャッター板下部１２２ｃと比較して室内側に屈曲した形状となっている。これは、シャッター板の重心をシャッター孔１２０ａのほぼ鉛直下方にするものである。シャッター孔１２０ａを支点としてシャッター板１２０が開き方向に動作する場合、このように重心をシャッター孔１２０ａの鉛直下方にすることで、シャッター板１２０の開き荷重を低減している。この、シャッター板１２０の開き荷重を低減することで、使用者が引き紐１６０を引く力を低減でき、またシャッター板１２０の開閉機構の寿命を長くすることが可能となる。また、このようにシャッター板１２０の中央部を室内側に屈曲した形状にすることで、シャッター板１２０が閉じている場合、シャッター板１２０は枠体１０に収まる形状となり、シャッター板１２０への外風の巻き込みなどによるシャッター板１２０のばたつきや、そのばたつきに伴う異音を無くすことが可能である。さらには換気扇の室外側がコンパクトな形状となり、室外側の外観も向上できる。
【００２５】
図６に示すように、シャッター支持板２００の突起部２００ａの近傍には、光漏れ防止を目的とした遮蔽壁２５０が設けられている。シャッター支持板２００は樹脂性で形成していることから遮蔽壁２５０も一体で形成できる。この遮蔽壁２５０は、シャッター支持板２００より枠体１０の内側に突出して設けている。また、遮蔽壁２５０の形状はシャッター板１２０と同様の箇所で屈曲した相似した形状としている。具体的には中シャッター板１２２とシャッター支持板２００の中央に形成した遮蔽壁２５０で説明するが、上段の上シャッター板１２１、下段の下シャッター板１２３も同様の構成である。中シャッター板の上部１２２ａと遮蔽壁２５０の上部２５０ａ、中シャッター板１２２の室内側に屈曲した中央部１２２ｂと遮蔽壁２５０の中央部２５０ｂ、中シャッター板１２２の下部１２２ｃと遮蔽壁２５０の下部２５０ｃとがそれぞれ相対している。このように各シャッター板１２０と遮蔽壁２５０の形状を相似させることで、シャッター板１２０が閉じた状態のとき、遮蔽壁２５０とシャッター板１２０の両側面が重なりあうこととなり正面から隙間が見えず、光漏れをなくすことが出来る。また、外風の浸入も低減することが可能となる。
【００２６】
遮蔽壁２５０の上部２５０ａと屈曲した中央部２５０ｂのほぼ中間には、シャッター板１２０が閉じた場合に遮蔽壁２５０とシャッター板１２０との間で微小の空間を形成する凸部２５０ｄを形成している。凸部２５０ｄは方形状に周囲より数ｍｍ一段高く形成している。このように凸部２５０ｄを形成することで、シャッター板１２０が閉じた場合シャッター板１２０と遮蔽壁２５０とは密着せず、若干の隙間を設けている。これは、換気扇が台所の油煙などの排気に用いられた場合、油煙に含まれる油分が、遮蔽壁２５０やシャッター板１２０に付着しシャッター板１２０と遮蔽壁２５０が固着するのを防いでいる。このようにすることでシャッター板１２０の動作に不具合が無く、また、数年換気扇を使用してもシャッター板１２０の開閉動作をする引き紐１６０の荷重は重たくならない。さらには、シャッター板１２０が閉じる場合、シャッター板１２０はこの樹脂製の凸部２５０ｄと当ることとなり、シャッター板１２０の閉じ音を軽減することができる。また、樹脂製で形成していることから、ある程度衝撃を吸収し、シャッター板１２０の変形等を防ぐことが可能である。
【００２７】
遮蔽壁２５０の高さ（シャッター支持板２００の根元部分から遮蔽壁２５０の先端までの距離）はおよそ１０ｍｍ以下で形成している。これは、換気扇の風量など特性に影響を与えることが無いようにするためである。特に前述したプロペラ羽根９０は風路中に抵抗となるものがあると極端に風量が低下するほか、異音など騒音が悪化する。したがって、枠体１０にオリフィス１７０を取りつけた場合、オリフィス１７０の開口した風路部分に遮蔽壁２５０が突出しないように遮蔽壁高さは１０ｍｍ以下が望ましい。
【００２８】
説明では、鋼板製の３段３枚のシャッター板１２０、及び樹脂製のシャッター支持板２００を用いて説明したが、これに限らず、樹脂製のシャッター板、１枚のシャッター板あるいは、鋼板製のシャッター支持板等でも同様に応用できる。
【符号の説明】
【００２９】
１  換気扇、１０  枠体、１０ａ  枠体上面部、２０  上フランジ部、３０  左フランジ部、４０  右フランジ部、５０  下フランジ部、５５  シャッター部、６０、６０ａ、６０ｂ  固定足、６１、６２、６３、６４  電動機固定孔、７０  電動機、７１、７２、７３、７４  電動機フランジ部、８０  回転軸、９０  ファン、１００  スピンナー、１１０  枠体室外側開口部、１２０  シャッター板、１２０ａ  シャッター孔、１２０ｂ  側壁、１２０ｃ  止めピン挿通孔、１２０ｄ  支持ピン、１２１  上シャッター板、１２１ａ  上シャッター板上部、１２１ｃ  上シャッター板下部、１２２  中シャッター板、１２２ａ  中シャッター板上部、１２２ｂ  中シャッター板中央部、１２２ｃ  中シャッター板下部、１２３  下シャッター板、１２３ａ  Ｓ下シャッター板上部、１２３ｃ  下シャッター板下部、１３０  シャッター連結板、１３０ａ  シャッター連結板支持孔、１３０ｂ  ロッド支持孔、１３０ｃ  スプリング支持孔、１４０  スイッチ部、１４２  可動レバー、１５０  電源ケーブル、１５２  リード線、１５４  プラグ、１６０  引紐、１７０  オリフィス、１８０  うちわボルト、１９０  取付ピース、２００  シャッター支持板、２００ａ  突起部、２１０  ブッシュ、２１０ａ  止めピン、２２０  ロッド、２３０  スプリング、２５０  遮蔽壁、２５０ａ  遮蔽壁上部、２５０ｂ  遮蔽壁中央部、２５０ｃ  遮蔽壁下部、２５０ｄ  凸部
【図１】
2014020604.tif 000003
【図２】
2014020604.tif 000004
【図３】
2014020604.tif 000005
【図４】
2014020604.tif 000006
【図５】
2014020604.tif 000007
【図６】
2014020604.tif 000008